【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
サーバ側で対象物を撮像手段で撮像した撮像画像をクライアント側の装置へ送信する制御と、該クライアント側の装置により当該撮像画像に付加された注釈画像をサーバ側で受信して当該対象物に投影手段に投影させる制御とを行う制御手段と、
特定の事象をトリガにして前記撮像画像および注釈画像の少なくとも一方を記憶手段に記憶する記憶処理手段と、
特定の時点における復元指示に基づいて、前記記憶手段から前記撮像画像および注釈画像の少なくとも一方を取得して対象物に投影する復元手段と、
前記特定の事象の発生を検出し、検出結果を前記特定の事象として通知する通知手段と、を有し、
前記特定の事象は、新たなクライアントが接続されたこと、クライアントが切断されたこと、一定時間間隔内にある所定の数以上の注釈が付与されたこと、所定の撮像画像領域内においてある所定の数以上の注釈が付与されたこと、所定の撮像画像領域内においてある所定の数以上の別々のクライアントからの注釈が付与されたこと、撮像画像の変化が閾値を超えたこと、及びクライアントから保存が要求されたことの内、少なくとも一つであることを特徴とする遠隔指示システム。
【請求項２】
前記制御手段が前記復元手段を兼ねることを特徴とする請求項１に記載の遠隔指示システム。
【請求項３】
対象物を撮像手段で撮像した撮像画像をクライアント装置へ送信する制御と、該クライアント装置により当該撮像画像に付加された注釈画像を受信して当該対象物に投影手段に投影させる制御とを行う制御手段と、
特定の事象をトリガにして前記撮像画像および注釈画像の少なくとも一方を記憶手段に記憶する記憶処理手段と、
特定の時点における復元指示に基づいて、前記記憶手段から前記撮像画像および注釈画像の少なくとも一方を取得して対象物に投影する復元手段と、を有し、
前記特定の事象は、新たなクライアントが接続されたこと、クライアントが切断されたこと、一定時間間隔内にある所定の数以上の注釈が付与されたこと、所定の撮像画像領域内においてある所定の数以上の注釈が付与されたこと、所定の撮像画像領域内においてある所定の数以上の別々のクライアントからの注釈が付与されたこと、撮像画像の変化が閾値を超えたこと、及びクライアントから保存が要求されたことの内、少なくとも一つであることを特徴とするサーバ装置。
【手続補正２】
【補正対象書類名】明細書
【補正対象項目名】０００５
【補正方法】変更
【補正の内容】
【０００５】
前記課題を解決するために、本発明の第１の態様の遠隔指示システムは、サーバ側で対象物を撮像手段で撮像した撮像画像をクライアント側の装置へ送信する制御と、該クライアント側の装置により当該撮像画像に付加された注釈画像をサーバ側で受信して当該対象物に投影手段に投影させる制御とを行う制御手段と、特定の事象をトリガにして撮像画像および注釈画像の少なくとも一方を記憶手段に記憶する記憶処理手段と、特定の時点における復元指示に基づいて、記憶手段から撮像画像および注釈画像の少なくとも一方を取得して対象物に投影する復元手段と、特定の事象の発生を検出し、検出結果を特定の事象として通知する通知手段と、を有し、特定の事象は、新たなクライアントが接続されたこと、クライアントが切断されたこと、一定時間間隔内にある所定の数以上の注釈が付与されたこと、所定の撮像画像領域内においてある所定の数以上の注釈が付与されたこと、所定の撮像画像領域内においてある所定の数以上の別々のクライアントからの注釈が付与されたこと、撮像画像の変化が閾値を超えたこと、及びクライアントから保存が要求されたことの内、少なくとも一つであることを特徴としている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明の第２の態様の遠隔指示システムでは、請求項１に記載の発明において、制御手段が復元手段を兼ねることを特徴としている。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の第１の態様のサーバ装置では、対象物を撮像手段で撮像した撮像画像をクライアント装置へ送信する制御と、該クライアント装置により当該撮像画像に付加された注釈画像を受信して当該対象物に投影手段に投影させる制御とを行う制御手段と、特定の事象をトリガにして撮像画像および注釈画像の少なくとも一方を記憶手段に記憶する記憶処理手段と、特定の時点における復元指示に基づいて、記憶手段から撮像画像および注釈画像の少なくとも一方を取得して対象物に投影する復元手段と、を有し、特定の事象は、新たなクライアントが接続されたこと、クライアントが切断されたこと、一定時間間隔内にある所定の数以上の注釈が付与されたこと、所定の撮像画像領域内においてある所定の数以上の注釈が付与されたこと、所定の撮像画像領域内においてある所定の数以上の別々のクライアントからの注釈が付与されたこと、撮像画像の変化が閾値を超えたこと、及びクライアントから保存が要求されたことの内、少なくとも一つであることを特徴としている。
【手続補正８】
【補正対象書類名】明細書
【補正対象項目名】００１１
【補正方法】変更
【補正の内容】
【００１１】
本発明の第１の態様の構成によれば、議論を振り返る際に必要なアノテーション情報などが適切なタイミングで記憶(保存)することができる。また、保存された注釈(アノテーション)や撮像画像等を用いて、遠隔地においてこれまでの会議等の議論内容を対象物(実物体)を共有した形で、振り返りを行うことができる。さらに、議論に参加していない者も振り返りを行うことができる。さらに、目的に応じて事象を選択することにより、適切なタイミングで記憶(保存)処理ができる。さらに、通知手段からの事象発生の通知により、適切なタイミングで自動保存が可能となる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明の第２の態様の構成によれば、構成を簡単にできる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明の第３の態様の構成によれば、議論を振り返る際に必要なアノテーション情報などが適切なタイミングで記憶(保存)することができる。保存された注釈(アノテーション)や撮像画像等を用いて、遠隔地においてこれまでの会議等の議論内容を対象物(実物体)を共有した形で、振り返りを行うことができる。また、議論に参加していない者も振り返りを行うことができる。さらに、目的に応じて事象を選択することにより、適切なタイミングで記憶(保存)処理ができる。